(57)【要約】【課題】画像表示中に、ユーザーが音楽等の別のコンテンツ情報を確認することができる画像表示装置、画像表示システム、及び画像表示装置の制御方法等を提供する。【解決手段】プロジェクター１００は、携帯型音楽再生プレーヤー２００及びパーソナルコンピューター３００の接続が可能に構成され、音出力部１５０と、画像表示部１４０とを含む。音出力部１５０は、携帯型音楽再生プレーヤー２００からの第１のコンテンツに対応した音出力を行う。画像表示部１４０は、パーソナルコンピューター３００からの第２のコンテンツに対応した画像に、携帯型音楽再生プレーヤー２００にて再生される第１のコンテンツに対応したコンテンツ情報を重ねて投写表示する。これにより、プロジェクター１００は、第２のコンテンツ画像と第１のコンテンツに対応したコンテンツ情報とを表示する。【選択図】図２
2013120203.tif 000002
【特許請求の範囲】
【請求項１】
第１のコンテンツ再生デバイス及び第２のコンテンツ再生デバイスの接続が可能に構成される画像表示装置であって、
前記第１のコンテンツ再生デバイスから供給される第１のコンテンツに対応した音出力を行う音出力部と、
前記第２のコンテンツ再生デバイスから供給される第２のコンテンツに対応した画像、及び前記第１のコンテンツに対応したコンテンツ情報を表示する画像表示部と、
を含むことを特徴とする画像表示装置。
【請求項２】
請求項１に記載の画像表示装置おいて、
前記画像表示装置と前記第１のコンテンツ再生デバイスとの間の通信制御を行う通信制御部を含み、
前記通信制御部が、
前記コンテンツ情報を前記第１のコンテンツ再生デバイスから取得することを特徴とする画像表示装置。
【請求項３】
請求項１又は２に記載の画像表示装置おいて、
前記画像表示装置への操作入力を受け付ける操作入力部を含み、
前記画像表示部は、
前記操作入力部によって受け付けられた前記操作入力に応じて、前記コンテンツ情報の表示及び非表示を切り替えることを特徴とする画像表示装置。
【請求項４】
請求項３に記載の画像表示装置おいて、
前記画像表示部は、
前記操作入力部によって受け付けられた前記操作入力に応じて、前記コンテンツ情報の文字サイズ、前記コンテンツ情報の表示位置、及び前記コンテンツ情報の情報量の少なくとも１つを変更して、前記第２のコンテンツに対応した画像及び前記コンテンツ情報を表示することを特徴とする画像表示装置。
【請求項５】
請求項１乃至４のいずれか一項に記載の画像表示装置おいて、
前記コンテンツ情報を含むＯＳＤ画像を生成するＯＳＤ制御部を含み
前記画像表示部は、
前記第２のコンテンツに対応した画像に、前記ＯＳＤ画像を重ね合わせて表示すること特徴とする画像表示装置。
【請求項６】
請求項１乃至５のいずれか一項に記載の画像表示装置おいて、
前記画像表示部は、
前記コンテンツ情報を表示してから所定時間経過後に前記コンテンツ情報を非表示に切り替えることを特徴とする画像表示装置。
【請求項７】
請求項１乃至６のいずれか一項に記載の画像表示装置おいて、
前記コンテンツ情報は、
前記第１のコンテンツに関連付けられたアーティスト名、アルバム名、画像、曲名、曲ファイル名、及びジャンルの少なくとも１つを含むことを特徴とする画像表示装置。
【請求項８】
請求項１乃至７のいずれか一項に記載の画像表示装置おいて、
前記第１のコンテンツ再生デバイスは、携帯型音楽再生プレーヤーであることを特徴とする画像表示装置。
【請求項９】
請求項１乃至８のいずれか一項に記載の画像表示装置と、
前記第１のコンテンツを再生する前記第１のコンテンツ再生デバイスと、
前記第２のコンテンツを再生する前記第２のコンテンツ再生デバイスと、を含むことを特徴とする画像表示システム。
【請求項１０】
第１のコンテンツ再生デバイス及び第２のコンテンツ再生デバイスの接続が可能に構成される画像表示装置の制御方法であって、
前記第１のコンテンツ再生デバイスから供給される第１のコンテンツに対応した音出力を行う音出力ステップと、
前記第２のコンテンツ再生デバイスから供給される第２のコンテンツに対応した画像、及び前記第１のコンテンツに対応したコンテンツ情報を表示する画像表示ステップと、
を含むことを特徴とする画像表示装置の制御方法。
【発明の詳細な説明】
【技術分野】
【０００１】
本発明は、画像表示装置、画像表示システム、及び画像表示装置の制御方法等に関する。
【背景技術】
【０００２】
画像表示装置としてのプロジェクターは、当該プロジェクターに信号ケーブル等を介して接続されるパーソナルコンピューター等のコンテンツ再生デバイスから取得した信号に基づいて画像出力や音出力を行う。このようなプロジェクターは、一般的に、１つのコンテンツ再生デバイスからの画像とこれに同期した音声とを同時に出力することができる。また、この種のプロジェクターは、１つのコンテンツ再生デバイスからの画像と別のコンテンツ再生デバイスからの音声とを同時に出力することもできる。
【０００３】
例えば特許文献１には、パーソナルコンピューターからのキャプチャー画像を投写表示させると共に、パーソナルコンピューターとは別のコンテンツ再生デバイスから取得した音声を出力させるようにしたプロジェクターが開示されている。このプロジェクターによれば、パーソナルコンピューターがほぼ無音の状態で画像表示する場合であっても、音楽や効果音を付加して画像を表示することができ、キャプチャー画像の効果的な投写表示が可能となる。
【先行技術文献】
【特許文献】
【０００４】
【特許文献１】特開２０１１−１２８９４２号公報
【発明の概要】
【発明が解決しようとする課題】
【０００５】
しかしながら、特許文献１に開示された技術では、画像表示中に、別のコンテンツ再生デバイスから取得した音楽等のコンテンツ情報（例えば、曲名や再生時間等）を投写画像内で確認することができないという問題があった。そのため、ユーザーは、音楽等を再生するコンテンツ再生デバイスの表示部を目視で確認する必要があった。
【０００６】
本発明は、以上のような技術的課題の少なくとも一部を解決するためになされたものであり、以下の形態又は様態として実現することができる。
【課題を解決するための手段】
【０００７】
（１）本発明の第１の態様は、第１のコンテンツ再生デバイス及び第２のコンテンツ再生デバイスの接続が可能に構成される画像表示装置が、前記第１のコンテンツ再生デバイスから供給される第１のコンテンツに対応した音出力を行う音出力部と、前記第２のコンテンツ再生デバイスから供給される第２のコンテンツに対応した画像、及び前記第１のコンテンツに対応したコンテンツ情報を表示する画像表示部とを含む。
【０００８】
本態様によれば、画像表示装置によって表示される第２のコンテンツ再生デバイスからの第２のコンテンツの画像を見ながら、第１のコンテンツ再生デバイスにおいて再生される第１のコンテンツに対応したコンテンツ情報を確認することができるようになる。従って、画像表示中に、ユーザーが音楽等の別のコンテンツ情報を確認することができる画像表示装置を提供することができるようになる。これにより、ユーザーは、第１のコンテンツ再生デバイスの表示部を見て第１のコンテンツに対応したコンテンツ情報を確認する必要がなくなる。
【０００９】
（２）本発明の第２の態様に係る画像表示装置は、第１の態様において、前記画像表示装置と前記第１のコンテンツ再生デバイスとの間の通信制御を行う通信制御部を含み、前記通信制御部が、前記コンテンツ情報を前記第１のコンテンツ再生デバイスから取得する。
本態様によれば、第１のコンテンツのコンテンツ情報を第１のコンテンツ再生デバイスから取得するようにしたので、第１のコンテンツに対応した最新の多彩なコンテンツ情報を反映して、第２のコンテンツの画像と同時に表示することができるようになる。
【００１０】
（３）本発明の第３の態様に係る画像表示装置は、第１の態様又は第２の態様において、前記画像表示装置への操作入力を受け付ける操作入力部を含み、前記画像表示部は、前記操作入力部によって受け付けられた前記操作入力に応じて、前記コンテンツ情報の表示及び非表示を切り替える。
本態様によれば、ユーザーは、第２のコンテンツの画像を見ながら、必要なときに第１のコンテンツのコンテンツ情報を確認することができるようになる。
【００１１】
（４）本発明の第４の態様に係る画像表示装置では、第３の態様において、前記画像表示部は、前記操作入力部によって受け付けられた前記操作入力に応じて、前記コンテンツ情報の文字サイズ、前記コンテンツ情報の表示位置、及び前記コンテンツ情報の情報量の少なくとも１つを変更して、前記第２のコンテンツに対応した画像及び前記コンテンツ情報を同時に表示する。
本態様によれば、第２のコンテンツの画像を見ながら、第１のコンテンツ再生デバイスにて再生される第１のコンテンツに対応したコンテンツ情報を、例えばコンテンツ情報の希望する項目のみを、ユーザー自身が見やすい状態で確認することができるようになる。
【００１２】
（５）本発明の第５の態様に係る画像表示装置は、第１の態様乃至第４の態様のいずれか１つの態様において、前記コンテンツ情報を含むＯＳＤ画像を生成するＯＳＤ制御部を含み、前記画像表示部は、前記第２のコンテンツに対応した画像に、前記ＯＳＤ画像を重ね合わせて表示する。
本態様によれば、処理負荷をかけることなく、非常に簡素な画像生成処理により、第２のコンテンツの画像を見ながら、第１のコンテンツに対応したコンテンツ情報を確認することができるようになる。
【００１３】
（６）本発明の第６の態様に係る画像表示装置では、第１の態様乃至第５の態様のいずれか１つの態様において、前記画像表示部は、前記コンテンツ情報を表示してから所定時間経過後に前記コンテンツ情報を非表示に切り替える。
本態様によれば、上記の効果に加えて、ユーザーにとって煩わしい操作を不要にすることができるようになる。
【００１４】
（７）本発明の第７の態様に係る画像表示装置では、第１の態様乃至第６の態様のいずれか１つの態様において、前記コンテンツ情報は、前記第１のコンテンツに関連付けられたアーティスト名、アルバム名、画像、曲名、曲ファイル名、及びジャンルの少なくとも１つを含む。
本態様によれば、第２のコンテンツの画像を見ながら、第１のコンテンツに関連付けられたアーティスト名、アルバム名、画像、曲名、曲ファイル名、及びジャンルの少なくとも１つを確認することができるようになる。
【００１５】
（８）本発明の第８の態様に係る画像表示装置では、第１の態様乃至第７の態様のいずれか１つの態様において、前記第１のコンテンツ再生デバイスは、携帯型音楽再生プレーヤーである。
本態様によれば、頻繁に携帯して利用する携帯型音楽再生プレーヤーにおいて再生される第１のコンテンツに対応したコンテンツ情報を、画像表示装置において表示される第２のコンテンツの画像を見ながら確認することができるようになる。
【００１６】
（９）本発明の第９の態様は、画像表示システムが、第１の態様乃至第８の態様のいずれか１つの態様の画像表示装置と、前記第１のコンテンツを再生する前記第１のコンテンツ再生デバイスと、前記第２のコンテンツを再生する前記第２のコンテンツ再生デバイスとを含む。
【００１７】
本態様によれば、第２のコンテンツの画像表示中に、ユーザーが音楽等の第１のコンテンツのコンテンツ情報を確認することができる画像表示システムを提供することができるようになる。
【００１８】
（１０）本発明の第１０の態様は、第１のコンテンツ再生デバイス及び第２のコンテンツ再生デバイスの接続が可能に構成される画像表示装置の制御方法が、前記第１のコンテンツ再生デバイスから供給される第１のコンテンツに対応した音出力を行う音出力ステップと、前記第２のコンテンツ再生デバイスから供給される第２のコンテンツに対応した画像、及び前記第１のコンテンツに対応したコンテンツ情報を表示する画像表示ステップと
を含む。
【００１９】
本態様によれば、画像表示装置によって表示される第２のコンテンツ再生デバイスからの第２のコンテンツの画像を見ながら、第１のコンテンツ再生デバイスにおいて再生される第１のコンテンツに対応したコンテンツ情報を確認することができるようになる。従って、画像表示中に、ユーザーが音楽等の別のコンテンツ情報を確認することができる画像表示装置の制御方法を提供することができるようになる。これにより、ユーザーは、第１のコンテンツ再生デバイスの表示部を見て第１のコンテンツに対応したコンテンツ情報を確認する必要がなくなる。
【図面の簡単な説明】
【００２０】
【図１】本発明の一実施形態に係る画像表示システムの構成例の概略図。
【図２】図１のプロジェクターの構成例のブロック図。
【図３】本実施形態におけるプロジェクターの動作例のフロー図。
【図４】図４（Ａ）は、画像ソースとして携帯型音楽再生プレーヤーが選択されたときの画像の一例を示す図。図４（Ｂ）は、画像ソースとして携帯型音楽再生プレーヤーが選択されたときにコンテンツを再生中の画像の一例を示す図。
【図５】ステップＳ５において表示される画像の一例を示す図。
【図６】ステップＳ９において表示される画像の一例を示す図。
【図７】図７（Ａ）は、コンテンツ情報の文字サイズが大きくなるように変更したときの画像の一例を示す図。図７（Ｂ）は、コンテンツ情報の文字サイズが小さくなるように変更したときの画像の一例を示す図。
【図８】本実施形態の第２の変形例におけるＯＳＤメニュー画像の一例を示す図。
【図９】図９（Ａ）は、コンテンツ情報の情報量を増やしたときの画像の一例を示す図。図９（Ｂ）は、コンテンツ情報の情報量を減らしたときの画像の一例を示す図。
【図１０】図１０（Ａ）は、操作ボタンを含むコンテンツ情報を表示した画像の一例を示す図。図１０（Ｂ）は、図１０（Ａ）の状態から操作入力後のコンテンツ情報を表示した画像の一例を示す図。
【図１１】図１１（Ａ）は、第４の変形例におけるＯＳＤメニュー画像の一例を示す図。図１１（Ｂ）は、コンテンツ情報の表示位置の変更の様子を示す図。
【図１２】本実施形態の第５の変形例における画像の一例を示す図。
【図１３】本実施形態の第６の変形例における画像の一例を示す図。
【発明を実施するための形態】
【００２１】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００２２】
〔画像表示システム〕
図１に、本発明の一実施形態に係る画像表示システムの構成例の概略図を示す。
画像表示システム１０は、プロジェクター（画像表示装置）１００と、携帯型音楽再生プレーヤー（第１のコンテンツ再生デバイス）２００と、パーソナルコンピューター（第２のコンテンツ再生デバイス）３００とを備えている。プロジェクター１００は、リモコン１１０を有しており、ユーザーは、例えばリモコン１１０を介した操作入力によりプロジェクター１００を操作することができるようになっている。携帯型音楽再生プレーヤー２００は、公知の信号ケーブルを介してプロジェクター１００に接続されたり、携帯型音楽再生プレーヤー２００が内蔵する第１のコネクターとプロジェクター１００が内蔵する第２のコネクターとが直接に接続されたりする。パーソナルコンピューター３００は、公知の信号ケーブルを介してプロジェクター１００に接続される。
【００２３】
プロジェクター１００は、携帯型音楽再生プレーヤー２００において再生された第１のコンテンツの画像をスクリーンＳＣＲに投写表示すると共に、該第１のコンテンツの音声を出力することができる。また、プロジェクター１００は、パーソナルコンピューター３００からの第２のコンテンツの画像をスクリーンＳＣＲに投写表示すると共に、該第２のコンテンツの音声を出力することができる。
【００２４】
更に、プロジェクター１００は、パーソナルコンピューター３００からの第２のコンテンツの画像をスクリーンＳＣＲに投写表示すると共に、携帯型音楽再生プレーヤー２００において再生された第１のコンテンツの音声を出力することができる。具体的には、プロジェクター１００は、パーソナルコンピューター３００にて再生される第２のコンテンツの画像と、携帯型音楽再生プレーヤー２００にて再生される第１のコンテンツの音声とを同時に出力することができるようになっている。このとき、プロジェクター１００は、リモコン１１０等を介したユーザーの指示により、再生中の第１のコンテンツに対応したコンテンツ情報を、第２のコンテンツの画像と同時にスクリーンＳＣＲに投写表示することができる。本実施形態では、図１に示すように、プロジェクター１００は、再生中の第１のコンテンツに対応したコンテンツ情報を、第２のコンテンツの画像に重ね合わせてスクリーンＳＣＲに投写表示することができる。
【００２５】
〔画像表示装置〕
図２に、図１のプロジェクター１００の構成例のブロック図を示す。図２において、図１の携帯型音楽再生プレーヤー２００及びパーソナルコンピューター（Personal Computer：ＰＣ）３００を合わせて図示している。
プロジェクター１００は、リモコン１１０の他に、操作部１２０と、受光部１２２と、通信制御部１３０と、画像表示部１４０と、音出力部１５０とを備えている。操作部１２０は、プロジェクター１００への操作入力を受け付ける操作入力部として機能する。リモコン１１０及び受光部１２２もまた、上記の操作入力部として機能する。画像表示部１４０は、ＯＳＤ（On-Screen Display）制御部１４２と、画像制御部１４４と、画像投写部１４６とを備えている。音出力部１５０は、音声制御部１５２と、スピーカー１５４とを備えている。
【００２６】
操作部１２０は、プロジェクター１００に設けられた操作パネルであり、操作部１２０を介したユーザーの操作入力に対応した操作指示信号をＯＳＤ制御部１４２に出力する。受光部１２２は、リモコン１１０を介したユーザーの操作入力に対応したキーコードを受信し、該キーコードに対応した操作指示信号をＯＳＤ制御部１４２に出力する。
【００２７】
通信制御部１３０は、携帯型音楽再生プレーヤー２００との間の通信を制御し、携帯型音楽再生プレーヤー２００内に存在するコンテンツ情報を取得し、ＯＳＤ制御部１４２に出力する。また、通信制御部１３０は、ＯＳＤ制御部１４２からの指示により、携帯型音楽再生プレーヤー２００の再生制御を行う。なお、再生制御とは、プロジェクター１００に供給されるコンテンツの再生、停止、一時停止、早送り、早戻し等を実行する制御である。
【００２８】
画像表示部１４０は、プロジェクター１００に接続されるコンテンツ再生デバイスによって再生されるコンテンツの画像をスクリーンＳＣＲに投写表示する。また、画像表示部１４０は、パーソナルコンピューター３００からの第２のコンテンツに対応した画像と、携帯型音楽再生プレーヤー２００が再生する第１のコンテンツに対応したコンテンツ情報とを同時にスクリーンＳＣＲに投写表示することができる。
【００２９】
ＯＳＤ制御部１４２には、操作部１２０又は受光部１２２からの操作指示信号や、通信制御部１３０を介したコンテンツ情報が入力される。ＯＳＤ制御部１４２は、操作指示信号に基づいて、画像制御部１４４が制御する画像ソース、及び音声制御部１５２が制御する音声ソースの選択制御を行う。具体的には、ＯＳＤ制御部１４２は、それぞれ画像ソース又は音声ソースとして、携帯型音楽再生プレーヤー２００及びパーソナルコンピューター３００の一方を、操作指示信号に基づいて選択する制御を行う。また、ＯＳＤ制御部１４２は、通信制御部１３０に対して、携帯型音楽再生プレーヤー２００の再生制御を行う。更に、ＯＳＤ制御部１４２は、画像ソースとして選択したパーソナルコンピューター３００から供給される画像に重ね合わせコンテンツ情報等を含むＯＳＤ画像を生成し、生成したＯＳＤ画像に対応した画像信号を画像制御部１４４に出力する。
【００３０】
画像制御部１４４は、携帯型音楽再生プレーヤー２００又はパーソナルコンピューター３００から入力される画像信号を判別し、判別した画像信号に対応した画像処理を行い、画像処理後の画像信号を画像投写部１４６に出力する。また、画像制御部１４４は、ＯＳＤ制御部１４２からの指示により、画像ソースとして携帯型音楽再生プレーヤー２００及びパーソナルコンピューター３００の一方を選択する。また、画像制御部１４４は、ＯＳＤ制御部１４２によって生成されたＯＳＤ画像を、選択された画像ソースからの画像に重ね合わせた画像を生成し、生成したＯＳＤ画像に対応した画像信号を画像投写部１４６に出力する。
【００３１】
画像投写部１４６は、照明光学系と、光変調素子としての液晶パネルと、投写光学系とを有する。照明光学系は、液晶パネルのパネル面に照明光を照射する。液晶パネルは、画像制御部１４４からの画像信号に基づいて駆動され、パネル面には、該画像信号に対応した画像が形成される。パネル面に照射された照明光は、パネル面を透過する際に、該パネル面に形成された画像に応じて変調される。変調された照明光は、投写光学系によりスクリーンＳＣＲに投写される。
【００３２】
音出力部１５０は、プロジェクター１００に接続されるコンテンツ再生デバイスによって再生されるコンテンツの音声を出力する。音声制御部１５２は、ＯＳＤ制御部１４２からの指示により、音声ソースとして携帯型音楽再生プレーヤー２００及びパーソナルコンピューター３００の一方を選択する。音声制御部１５２は、選択した音声ソースからの音声に対応した信号をスピーカー１５４に出力する。スピーカー１５４は、音声制御部１５２からの信号に対応した音出力を行う。
【００３３】
このような構成を有するプロジェクター１００において、画像ソースとしてパーソナルコンピューター３００が選択され、且つ、音声ソースとして携帯型音楽再生プレーヤー２００が選択されているものとする。このとき、プロジェクター１００は、通信制御部１３０を介して取得した携帯型音楽再生プレーヤー２００にて再生中のコンテンツに対応するコンテンツ情報を、該コンテンツ情報を含む画像として、パーソナルコンピューター３００からの画像に重ね合わせてスクリーンＳＣＲに投写表示することができる。これにより、ユーザーは、プロジェクター１００の投写画像として再生中のパーソナルコンピューター３００からの画像を見ながら、再生中の携帯型音楽再生プレーヤー２００のコンテンツに対応するコンテンツ情報を確認することができるようになる。ここで、コンテンツ情報は、第１のコンテンツに関連付けられたアーティスト名、アルバム名、画像（アートワーク）、曲名、曲ファイル名、及びジャンルの少なくとも１つを含むことが望ましい。
【００３４】
図３に、本実施形態におけるプロジェクター１００の動作例のフロー図を示す。図３では、携帯型音楽再生プレーヤー２００を「プレーヤー」、パーソナルコンピューター３００を「ＰＣ」と表記している。
【００３５】
ステップＳ１において、プロジェクター１００は、リモコン１１０又は操作部１２０を介したユーザーの操作入力に基づいて、画像ソース及び音声ソースの切り替え指示を受け付ける。ユーザーの切り替え指示の内容は、操作指示信号としてＯＳＤ制御部１４２に送られ、ＯＳＤ制御部１４２は、操作指示信号に基づいて画像ソース及び音声ソースの選択制御を行う。
次にステップＳ２において、ステップＳ１のユーザーからの操作入力に基づく切り替え指示の内容が、画像ソース及び音声ソースとして携帯型音楽再生プレーヤー２００を選択する指示であるか否かを判定する。切り替え指示の内容が、画像ソース及び音声ソースとして携帯型音楽再生プレーヤー２００を選択する指示である場合（ステップＳ２：Ｙ）、ステップＳ３において、プロジェクター１００は、画像制御部１４４及び音声制御部１５２において携帯型音楽再生プレーヤー２００を画像ソース及び音声ソースとして選択する。そして、プロジェクター１００は、携帯型音楽再生プレーヤー２００にて再生される第１のコンテンツの画像を、画像投写部１４６によりスクリーンＳＣＲに投写表示すると共に、該第１のコンテンツの音声を、スピーカー１５４により音出力する。その後、プロジェクター１００は、ユーザーによる次の指示を待つ（リターン）。
【００３６】
図４（Ａ）、図４（Ｂ）に、ステップＳ３においてプロジェクター１００による投写画面に表示される画像の一例を示す。図４（Ａ）は、画像ソースとして携帯型音楽再生プレーヤー２００が選択されたときの画像の一例を表す。図４（Ｂ）は、画像ソースとして携帯型音楽再生プレーヤー２００が選択されたときにコンテンツを再生中の画像の一例を表す。
【００３７】
ステップＳ３では、携帯型音楽再生プレーヤー２００にて生成される例えば図４（Ａ）、図４（Ｂ）に示す画像が、プロジェクター１００の投写画面に表示される。図４（Ａ）では、携帯型音楽再生プレーヤー２００にて選択されるコンテンツのアートワーク（該コンテンツに対応した画像）ＡＷ１と、コンテンツリストＣＴ１と、コンテンツリストＣＴ１の内容をスクロールするためのスクロールバーＳＢ１とが表示される。コンテンツリストＣＴ１は、プレイリスト、アーティスト、アルバム、曲名、ジャンル、ネットワーク上で公開される音声データを含むポッドキャスト、現在再生中のコンテンツに対応するコンテンツ情報を含む。図４（Ｂ）では、携帯型音楽再生プレーヤー２００にて再生中のコンテンツのアートワークＡＷ２と、再生中のコンテンツに対応するコンテンツ情報ＣＨ１と、コンテンツの再生状況を示すプログレスバーＰＢ１とが表示される。ここで、アートワークは、携帯型音楽再生プレーヤー２００が再生する第１のコンテンツに対応した画像（例えば、ＣＤアルバムのジャケットの画像）である。コンテンツ情報ＣＨ１として、曲名と、アルバム名と、アーティスト名とが表示される。
【００３８】
図３において、ステップＳ２で、ユーザーからの操作入力に基づく切り替え指示の内容が、画像ソース及び音声ソースとして携帯型音楽再生プレーヤー２００を選択する指示ではない場合（ステップＳ２：Ｎ）、ステップＳ４に移行する。
【００３９】
そして、ステップＳ４において、ステップＳ１のユーザーからの操作入力に基づく切り替え指示の内容が、画像ソース及び音声ソースとしてパーソナルコンピューター３００を選択する指示であるか否かを判定する。切り替え指示の内容が、画像ソース及び音声ソースとしてパーソナルコンピューター３００を選択する指示である場合（ステップＳ４：Ｙ）、ステップＳ５において、プロジェクター１００は、画像制御部１４４及び音声制御部１５２においてパーソナルコンピューター３００を画像ソース及び音声ソースとして選択する。そして、プロジェクター１００は、パーソナルコンピューター３００にて再生される第２のコンテンツの画像を、画像投写部１４６によりスクリーンＳＣＲに投写表示すると共に、該第２のコンテンツの音声を、スピーカー１５４により音出力する。その後、プロジェクター１００は、ユーザーによる次の指示を待つ（リターン）。
【００４０】
図５に、ステップＳ５においてプロジェクター１００による投写画面に表示される画像の一例を示す。図５は、画像ソースとしてパーソナルコンピューター３００が選択されたときの画像の一例を表す。
ステップＳ５では、パーソナルコンピューター３００にて生成される、例えば図５に示す画像ＩＭＧ１がプロジェクター１００によって投写される。そして、プロジェクター１００は、画像ＩＭＧ１を投写すると共に、パーソナルコンピューター３００にて再生される音声の出力も行う。
【００４１】
図３において、ステップＳ４で、ユーザーからの操作入力に基づく切り替え指示の内容が、画像ソース及び音声ソースとしてパーソナルコンピューター３００を選択する指示ではない場合（ステップＳ４：Ｎ）、ステップＳ６に移行する。
【００４２】
そして、ステップＳ６において、ステップＳ１のユーザーからの操作入力に基づく切り替え指示の内容が、画像ソースとしてパーソナルコンピューター３００を選択し、且つ音声ソースとして携帯型音楽再生プレーヤー２００を選択する指示であるか否かを判定する。切り替え指示の内容が、画像ソースとしてパーソナルコンピューター３００、且つ、音声ソースとして携帯型音楽再生プレーヤー２００を選択する指示である場合（ステップＳ６：Ｙ）、プロジェクター１００は、画像制御部１４４においてパーソナルコンピューター３００を画像ソースとして選択し、音声制御部１５２において携帯型音楽再生プレーヤー２００を音声ソースとして選択する。
【００４３】
次にステップＳ７において、プロジェクター１００は、リモコン１１０又は操作部１２０において予め割り当てられたコンテンツ情報表示キーが押下されたか否かを検出する。コンテンツ情報表示キーの押下が検出された場合（ステップＳ７：Ｙ）、プロジェクター１００は、まず、ＯＳＤ制御部１４２において、携帯型音楽再生プレーヤー２００（第１のコンテンツ再生デバイス）と通信する通信制御部１３０を介して取得された第１のコンテンツのコンテンツ情報を用いてＯＳＤ画像を生成する。なお、第１のコンテンツのコンテンツ情報は、プロジェクター１００に接続された携帯型音楽再生プレーヤー２００からの音声出力を行うのに先立って、通信制御部１３０により取得される。これにより、第１のコンテンツに対応した最新の多彩なコンテンツ情報を反映したＯＳＤ画像を生成することができるようになる。
【００４４】
次にステップＳ８において、プロジェクター１００は、画像制御部１４４において、第１のコンテンツに対応したコンテンツ情報を反映したＯＳＤ画像を、パーソナルコンピューター３００（第２のコンテンツ再生デバイス）からの画像（第２のコンテンツ）に重ねた画像を生成する。
そしてステップＳ９において、プロジェクター１００は、パーソナルコンピューター３００からの第２のコンテンツの画像にＯＳＤ画像を重ねた画像を、画像投写部１４６によりスクリーンＳＣＲに投写すると共に、第１のコンテンツの音声を、スピーカー１５４により音出力する。即ち、ステップＳ９は、音出力ステップと、画像表示ステップとを含むことができる。音出力ステップでは、携帯型音楽再生プレーヤー２００からの第１のコンテンツに対応した音出力を行う。画像表示ステップでは、パーソナルコンピューター３００からの第２のコンテンツに対応した画像と、第１のコンテンツに対応したコンテンツ情報とを表示する。その後、プロジェクター１００は、ユーザーによる次の指示を待つ（リターン）。
【００４５】
図６に、ステップＳ９においてプロジェクター１００による投写画面に表示される画像の一例を示す。図６は、例えば図５のパーソナルコンピューター３００で生成される画像ＩＭＧ１に、図４（Ｂ）の携帯型音楽再生プレーヤー２００にて生成される第１のコンテンツのコンテンツ情報ＣＨ１を重ね合わせた画像を表す。
ＯＳＤ制御部１４２は、上記のように、通信制御部１３０を介して取得された第１のコンテンツのコンテンツ情報を用いてＯＳＤ画像ＣＴを生成する。画像制御部１４４は、例えば図５の画像ＩＭＧ１にＯＳＤ画像ＣＴを所定の位置に重ね合わせた画像ＩＭＧ２を生成し、画像投写部１４６は、該画像ＩＭＧ２をスクリーンＳＣＲに投写する。
【００４６】
なお、ステップＳ９において表示された第１のコンテンツのコンテンツ情報を含むＯＳＤ画像ＣＴは、ＯＳＤ画像ＣＴを画像ＩＭＧ２に表示してから、所定時間経過後に非表示になることが望ましい。このように、コンテンツ情報を第２コンテンツの画像に表示してから、所定時間経過後に非表示となるように切り替えることで、ユーザーにとって煩わしい操作を不要にすることができるようになる。
【００４７】
また、操作入力部としてのリモコン１１０又は操作部１２０を介したユーザーの操作入力に応じて、プロジェクター１００は、第１のコンテンツに対応したコンテンツ情報の表示及び非表示を切り替えることが望ましい。本実施形態では、コンテンツ情報表示キーを押下することで、コンテンツ情報を表示／非表示に切り替えることができるようになっている。
【００４８】
図３において、ステップＳ７で、コンテンツ情報表示キーの押下が検出されない場合（ステップＳ７：Ｎ）、ステップＳ１０において、プロジェクター１００は、パーソナルコンピューター３００からの第２のコンテンツの画像をスクリーンＳＣＲに投写し、携帯型音楽再生プレーヤー２００からの第１のコンテンツの音声を出力する。その後、プロジェクター１００は、ユーザーによる次の指示を待つ（リターン）。
【００４９】
ここでステップＳ６において、ステップＳ１のユーザーからの操作入力に基づく切り替え指示の内容が、画像ソースとしてパーソナルコンピューター３００、且つ、音声ソースとして携帯型音楽再生プレーヤー２００を選択する指示ではない場合（ステップＳ６：Ｎ）、プロジェクター１００は、投写表示及び音声出力を中止し、ユーザーによる次の指示を待つ（リターン）。
【００５０】
以上説明したように、本実施形態において、携帯型音楽再生プレーヤー２００及びパーソナルコンピューター３００が接続可能に構成されるプロジェクター１００は、次のように動作する。即ち、プロジェクター１００は、携帯型音楽再生プレーヤー２００から第１のコンテンツ、及び第１のコンテンツに対応するコンテンツ情報を取得し、該コンテンツ情報に関するＯＳＤ画像を生成する。そして、プロジェクター１００は、パーソナルコンピューター３００からの第２のコンテンツの画像と、携帯型音楽再生プレーヤー２００が再生中の第１のコンテンツに対応するコンテンツ情報を含むＯＳＤ画像とを表示することができる。これにより、ユーザーは、プロジェクター１００によって投写される、パーソナルコンピューター３００からの画像を見ながら、携帯型音楽再生プレーヤー２００にて再生される第１のコンテンツに対応したコンテンツ情報を確認することができるようになる。
【００５１】
〔第１の変形例〕
本実施形態において、リモコン１１０又は操作部１２０を介したユーザーの操作入力により、パーソナルコンピューター３００からの画像に重ねて表示されるコンテンツ情報の文字サイズを変更できるようにしてもよい。
【００５２】
図７（Ａ）、図７（Ｂ）に、本実施形態の第１の変形例における画像の一例を示す。図７（Ａ）は、コンテンツ情報を含むＯＳＤ画像ＣＴ（図６）の文字サイズが大きくなるように変更したときの画像の一例を表す。図７（Ｂ）は、コンテンツ情報を含むＯＳＤ画像ＣＴ（図６）の文字サイズが小さくなるように変更したとき変更後の画像の一例を表す。
ユーザーが、リモコン１１０又は操作部１２０において予め割り当てられたメニュー表示キーを押下することにより、プロジェクター１００は、ＯＳＤ制御部１４２によって生成されたＯＳＤメニュー画像Ｍ１を表示する。ＯＳＤメニュー画像Ｍ１には、例えば「拡張設定」等の所定の設定項目に文字サイズを指定する項目が設けられている。
【００５３】
第１の変形例では、文字サイズを「大」、「中」、「小」の中から選択できるものとする。リモコン１１０又は操作部１２０を介したユーザーの操作入力により、例えば文字サイズが「大」に設定されたとき、ＯＳＤ制御部１４２は、図７（Ａ）に示すように文字サイズが「大」に設定されたコンテンツ情報を含むＯＳＤ画像ＣＴａを生成する。ＯＳＤ制御部１４２は、設定された文字サイズに応じてＯＳＤ画像ＣＴａの表示領域のサイズを変更する。
また、リモコン１１０又は操作部１２０を介したユーザーの操作入力により例えば文字サイズが「小」に設定されたとき、ＯＳＤ制御部１４２は、図７（Ｂ）に示すように文字サイズが「小」に設定されたコンテンツ情報を含むＯＳＤ画像ＣＴｂを生成する。ＯＳＤ制御部１４２は、設定された文字サイズに応じてＯＳＤ画像ＣＴｂの表示領域のサイズを変更する。
第１の変形例において、プロジェクター１００は、このように生成されたＯＳＤ画像ＣＴａ又はＯＳＤ画像ＣＴｂを、例えば図５に示されるパーソナルコンピューター３００からの画像ＩＭＧ１に重ね合わせた画像ＩＭＧ３又は画像ＩＭＧ４を投写する。なお、図７（Ａ）、図７（Ｂ）では、画像ＩＭＧ３，ＩＭＧ４にメニュー画像Ｍ１を重ねて表示しているときの画像の一例を示している。
【００５４】
第１の変形例によれば、プロジェクター１００によって投写される、パーソナルコンピューター３００からの画像を見ながら、携帯型音楽再生プレーヤー２００にて再生される第１のコンテンツに対応したコンテンツ情報を、ユーザー自身が見やすい状態で確認することができるようになる。
【００５５】
〔第２の変形例〕
本実施形態又は上記の変形例において、リモコン１１０又は操作部１２０を介したユーザーの操作入力により、パーソナルコンピューター３００からの画像に重ねて表示されるコンテンツ情報の情報量を増減できるようにしてもよい。
【００５６】
図８に、本実施形態の第２の変形例におけるＯＳＤメニュー画像の一例を示す。
ユーザーが、リモコン１１０又は操作部１２０において予め割り当てられたメニュー表示キーを押下することにより、ＯＳＤ制御部１４２によって生成されたＯＳＤメニュー画像Ｍ２が表示される。ＯＳＤメニュー画像Ｍ２には、例えば「拡張設定」等の所定の設定項目に、表示可能なコンテンツ情報のうち表示する情報を指定する項目が設けられている。
【００５７】
第２の変形例では、コンテンツ情報が、「曲名」、「アルバム名」、「アーティスト名」、「経過時間」、「総時間」、及び「アートワーク」を含むものとする。図８では、リモコン１１０又は操作部１２０を介したユーザーの操作入力により例えば「曲名」、「アルバム名」、及び「アーティスト名」が指定されたときのＯＳＤメニュー画像の一例を表している。
【００５８】
図９（Ａ）、図９（Ｂ）に、第２の変形例における画像の一例を示す。図９（Ａ）は、コンテンツ情報を含むＯＳＤ画像ＣＴ（図６）の情報量を増やしたときの画像の一例を表す。図９（Ｂ）は、コンテンツ情報を含むＯＳＤ画像ＣＴ（図６）の情報量を減らしたときの画像の一例を表す。
図６の状態から図８のＯＳＤメニュー画像Ｍ２を表示して、ユーザーの操作入力により例えば「曲名」、「アルバム名」、「アーティスト名」、及び「アートワーク」が指定されたものとする。このとき、ＯＳＤ制御部１４２は、図９（Ａ）に示すようなコンテンツ情報を含むＯＳＤ画像ＣＴｃを生成する。また、図６の状態から図８のＯＳＤメニュー画像Ｍ２を表示して、ユーザーの操作入力により例えば「曲名」のみの表示を指定したとき、ＯＳＤ制御部１４２は、図９（Ｂ）に示すようなコンテンツ情報を含むＯＳＤ画像ＣＴｄを生成する。
第２の変形例において、プロジェクター１００は、このように生成されたＯＳＤ画像ＣＴｃ又はＯＳＤ画像ＣＴｄを、例えば図５に示されるパーソナルコンピューター３００にて再生される画像ＩＭＧ１に重ね合わせた画像ＩＭＧ５又はＩＭＧ６を投写する。
【００５９】
第２の変形例によれば、プロジェクター１００によって投写される、パーソナルコンピューター３００からの画像を見ながら、携帯型音楽再生プレーヤー２００にて再生される第１のコンテンツに対応したコンテンツ情報のうち、ユーザーが希望する項目のみを確認することができるようになる。
【００６０】
〔第３の変形例〕
本実施形態又は上記の変形例において、リモコン１１０又は操作部１２０を介したユーザーの操作入力により、携帯型音楽再生プレーヤー２００の再生制御を行うことが可能な操作ボタンを、パーソナルコンピューター３００からの画像に重ねて表示するようにしてもよい。
【００６１】
図１０（Ａ）、図１０（Ｂ）に、第３の変形例における画像の一例を示す。図１０（Ａ）は、操作ボタンを含むコンテンツ情報を表示した画像の一例を表す。図１０（Ｂ）は、図１０（Ａ）の状態から操作ボタンによる操作入力後のコンテンツ情報を表示した画像の一例を表す。
ＯＳＤ制御部１４２は、携帯型音楽再生プレーヤー２００が再生する第１のコンテンツに対応したコンテンツ情報に加えて、携帯型音楽再生プレーヤー２００の再生制御を行うための操作ボタンを含むコンテンツ情報を含むＯＳＤ画像ＣＴｅを生成する。このコンテンツ情報は、プレイリストを含んでいる。操作ボタンは、一時停止ボタンの機能を兼ねた再生ボタン、送りボタンの機能を兼ねた早送りボタン、戻しボタンの機能を兼ねた早戻しボタンを含んでいる。
【００６２】
図１０（Ａ）に示すように、コンテンツ情報を含むＯＳＤ画像ＣＴｅでは、選択枠ＳＫが、リモコン１１０又は操作部１２０を介したユーザーの操作入力により移動可能となっている。決定キーを押下することにより、選択枠ＳＫに囲まれた操作ボタンに対応した再生制御、又はコンテンツの選択が行われる。ここで、リモコン１１０又は操作部１２０により下方向キーが押下されると、ＯＳＤ制御部１４２は、図１０（Ｂ）に示すように選択枠ＳＫが下方向に移動し、プレイリスト中の一番上の曲を囲む位置に選択枠ＳＫが表示されるＯＳＤ画像ＣＴｅを生成する。
第３の変形例において、プロジェクター１００は、このように生成されたＯＳＤ画像ＣＴｅを、例えば図５に示されるパーソナルコンピューター３００にて再生される画像ＩＭＧ１に重ね合わせた画像ＩＭＧ７又は画像ＩＭＧ８を投写する。
【００６３】
第３の変形例によれば、本実施形態の効果に加えて、ユーザーは、携帯型音楽再生プレーヤー２００が有する操作部を見ることなく、投写画像を見ながら携帯型音楽再生プレーヤー２００の再生制御を行うことができるようになる。
【００６４】
〔第４の変形例〕
本実施形態又は上記の変形例において、リモコン１１０又は操作部１２０を介したユーザーの操作入力により、パーソナルコンピューター３００からの画像に重ねて表示されるコンテンツ情報の表示位置を変更できるようにしてもよい。
【００６５】
図１１（Ａ）、図１１（Ｂ）に、本実施形態の第４の変形例における画像の一例を示す。図１１（Ａ）は、第４の変形例におけるＯＳＤメニュー画像の一例を表す。図１１（Ｂ）は、コンテンツ情報の表示位置の変更の様子を表す。
ユーザーが、リモコン１１０又は操作部１２０において予め割り当てられたメニュー表示キーを押下することにより、プロジェクター１００は、ＯＳＤ制御部１４２によって生成されたＯＳＤメニュー画像Ｍ３を表示する。ＯＳＤメニュー画像Ｍ３には、例えば「拡張設定」等の所定の設定項目に、コンテンツ情報の表示位置を指定する項目が設けられている。ユーザーが決定キーの押下によりコンテンツ情報の表示位置を指定すると、画像制御部１４４は、画像投写部１４６によりパーソナルコンピューター３００からの画像にコンテンツ情報を含むＯＳＤ画像ＣＴｆ重ねた画像ＩＭＧ９を投写表示する。コンテンツ情報を含むＯＳＤ画像ＣＴｆは、リモコン１１０又は操作部１２０の方向キーにより表示位置の調整が可能となっており、決定キーにより表示位置が確定される。確定された表示位置は、ＯＳＤ制御部１４２において保存され、その後、コンテンツ情報を含むＯＳＤ画像を表示する際には、確定された表示位置に表示される。
【００６６】
なお、コンテンツ情報の表示位置の変更は、ＯＳＤメニュー画像Ｍ３を介して行う必要はない。例えば、コンテンツ情報を表示中に、上記のコンテンツ情報表示キーを一定時間長押しすることで、図１１（Ｂ）に示すように表示位置の調整が可能となるようにしてもよい。
【００６７】
第４の変形例によれば、本実施形態の効果に加えて、ユーザーにとって見やすい位置でコンテンツ情報を確認することができるようになる。
【００６８】
〔第５の変形例〕
本実施形態又はその変形例では、携帯型音楽再生プレーヤー２００が再生中の第１のコンテンツに対応したコンテンツ情報を、パーソナルコンピューター３００からの画像に重ねて表示するものとして説明したが、これに限定されるものではない。
【００６９】
図１２に、本実施形態の第５の変形例における画像の一例を示す。
第５の変形例において、ＯＳＤ制御部１４２は、通信制御部１３０を介して取得された第１のコンテンツのコンテンツ情報を用いてＯＳＤ画像ＣＴｇを生成する。また、画像制御部１４４は、パーソナルコンピューター３００からの画像の表示サイズを小さくした画像ＩＭＧ１０とＯＳＤ画像ＣＴｇとを表示した画像を、画像投写部１４６によりスクリーンＳＣＲに投写する。
【００７０】
なお、ＯＳＤ画像ＣＴｇ、画像ＩＭＧ１０の各々の表示位置は、図１２に示すものに限定されるものではなく、画像ＩＭＧ１０に重ならないようにＯＳＤ画像ＣＴｇが表示されるものであればよい。
【００７１】
第５の変形例によれば、本実施形態の効果に加えて、パーソナルコンピューター３００からの画像の視認を遮らない位置にコンテンツ情報を表示することができるようになる。これにより、パーソナルコンピューター３００からの画像の視認性を損なうことなく、ユーザーは、コンテンツ情報を確実に確認することができるようになる。
【００７２】
〔第６の変形例〕
本実施形態又はその変形例において、例えばパーソナルコンピューター３００からの画像の下辺付近にコンテンツ情報を表示する例を説明したが、これに限定されるものではない。
【００７３】
図１３に、本実施形態の第６の変形例における画像の一例を示す。
第６の変形例において、ＯＳＤ制御部１４２又は画像制御部１４４は、パーソナルコンピューター３００からの画像を解析して、互いに隣接する画素間の階調差が所定量以下の領域を検出する。例えば図１３において、ＯＳＤ制御部１４２又は画像制御部１４４は、黒領域検出部を有し、該黒領域検出部が、黒表示される所定サイズ以上の領域ＡＲ１，ＡＲ２を検出することができる。そして、画像制御部１４４は、検出された領域ＡＲ１，ＡＲ２のうち領域ＡＲ２に、コンテンツ情報を含むＯＳＤ画像が重なるように画像を生成し、画像投写部１４６によりスクリーンＳＣＲに投写表示する。
【００７４】
第６の変形例によれば、第５の変形例と同様に、パーソナルコンピューター３００からの画像の視認を遮らない位置にコンテンツ情報を表示することができるようになる。これにより、パーソナルコンピューター３００からの画像の視認性を損なうことなく、ユーザーは、コンテンツ情報を確実に確認することができるようになる。
【００７５】
以上、本発明に係る画像表示装置、画像表示システム、及び画像表示装置の制御方法等を上記の実施形態又はその変形例に基づいて説明したが、本発明は上記の実施形態又はその変形例に限定されるものではない。例えば、その要旨を逸脱しない範囲において種々の態様において実施することが可能であり、次のような変形も可能である。
【００７６】
（１）本実施形態又はその変形例では、本発明に係る画像表示装置として、プロジェクターを例に説明したが、本発明は、これに限定されるものではない。本発明に係る画像表示装置としては、画像を表示するものであればよい。例えば、リアプロジェクションテレビや液晶テレビ、プラズマディスプレイ等であってもよい。
【００７７】
（２）上記の実施形態又はその変形例では、本発明に係る画像投写部１４６が、光変調素子として液晶パネルを採用した構成を例に説明したが、本発明は、これに限定されるものではない。本発明に係る画像投写部１４６は、光変調素子として、透過型反射液晶パネルやＬＣＯＳ（Liquid Crystal On Silicon）方式等で使用される反射型液晶パネルなどの液晶パネルの他に、ＤＭＤ（Digital Micromirror Device）方式で用いられるデジタルマイクロミラーデバイスを採用した構成を有していてもよい。
【００７８】
（３）本実施形態又はその変形例において、ユーザーは、主として、リモコン１１０を介して操作入力を行うものとして説明したが、本発明は、これに限定されるものではない。
【００７９】
（４）本実施形態の変形例において、ユーザーの操作入力に応じて、コンテンツ情報の表示領域のサイズ、コンテンツ情報の表示位置、及びコンテンツ情報の情報量の少なくとも１つを変更することものとして説明したが、本発明は、これに限定されるものではない。例えば、ユーザーの操作入力に応じて、コンテンツ情報の表示領域のサイズや形状、コンテンツ情報の文字や画像の表示位置、配置を個別に変更できるようにしてもよい。
【００８０】
（５）本実施形態又はその変形例では、第１のコンテンツ再生デバイスとして携帯型音楽再生プレーヤーを例に説明したが、本発明は、これに限定されるものではない。本発明に係る第１のコンテンツ再生デバイスとして、音出力を行うものを採用することができる。
【００８１】
（６）本実施形態又はその変形例では、第２のコンテンツ再生デバイスとしてパーソナルコンピューターを例に説明したが、本発明は、これに限定されるものではない。本発明に係る第２のコンテンツ再生デバイスとして、画像出力を行うものを採用することができる。
【００８２】
（７）本実施形態又はその変形例では、主として、第１のコンテンツのコンテンツ情報を横方向（水平方向）に表示する例を説明したが、本発明は、これに限定されるものではない。例えば第１のコンテンツのコンテンツ情報を縦方向（垂直方向）に表示するようにしてもよい。
【００８３】
（８）本実施形態又はその変形例において、上記の機能をハードウェアのみで実現したり、ハードウェア及びソフトウェアを組み合わせて実現したりしてもよい。また、第１のコンテンツ再生デバイス及び第２のコンテンツ再生デバイスの少なくとも一方を、画像表示装置が内蔵するようにしてもよい。
【００８４】
（９）上記の実施形態又はその変形例において、本発明を画像表示装置、画像表示システム、及び画像表示装置の制御方法等として説明したが、本発明は、これに限定されるものではない。例えば、本発明に係る画像表示装置の制御方法の処理手順が記述されたプログラム、このプログラムが記録された記録媒体であってもよい。
【符号の説明】
【００８５】
１０…画像表示システム、  １００…プロジェクター（画像表示装置）、
１１０…リモコン、  １２０…操作部、  １２２…受光部、  １３０…通信制御部、
１４０…画像表示部、  １４２…ＯＳＤ制御部、  １４４…画像制御部、
１４６…画像投写部、  １５０…音出力部、  １５２…音声制御部、
１５４…スピーカー、
２００…携帯型音楽再生プレーヤー（第１のコンテンツ再生デバイス）、
３００…パーソナルコンピューター（第２のコンテンツ再生デバイス）、
ＡＲ１，ＡＲ２…領域、  ＡＷ１，ＡＷ２…アートワーク、  ＣＨ１…コンテンツ情報、
ＣＴ１…コンテンツリスト、
ＣＴ，ＣＴａ，ＣＴｂ，ＣＴｃ，ＣＴｄ，ＣＴｅ，ＣＴｆ，ＣＴｇ…ＯＳＤ画像、
ＩＭＧ１，ＩＭＧ２，ＩＭＧ３，ＩＭＧ４，ＩＭＧ５，ＩＭＧ６，ＩＭＧ７，ＩＭＧ８，ＩＭＧ９，ＩＭＧ１０，ＩＭＧ１１…画像、  Ｍ１，Ｍ２，Ｍ３…ＯＳＤメニュー画像、
ＰＢ１…プログレスバー、  ＳＢ１…スクロールバー、  ＳＣＲ…スクリーン、
ＳＫ…選択枠
【図２】
2013120203.tif 000003
【図３】
2013120203.tif 000004
【図４】
2013120203.tif 000005
【図５】
2013120203.tif 000006
【図１２】
2013120203.tif 000007
【図１３】
2013120203.tif 000008
【図１】
2013120203.tif 000009
【図６】
2013120203.tif 000010
【図７】
2013120203.tif 000011
【図８】
2013120203.tif 000012
【図９】
2013120203.tif 000013
【図１０】
2013120203.tif 000014
【図１１】
2013120203.tif 000015